(57)【要約】【課題】開封後にしおりとして使用することができ、書籍の全部、もしくは一部の閲覧を防ぐことができるブックカバーを提供する。【解決手段】接続するか、もしくは接続しない表表紙、裏表紙を含んでなる表紙と、本の内容であって、集めて本の中身を形成する中身と、好みに応じて選択した２枚の紙を接続して形成し、且つ、適宜な位置に予め２本の切り取り線を形成し、本の中身を全部もしくは一部を被覆するカバーと、を含んでなり、中身を閲覧する場合には、切り取り線に沿って切り開き、切り取り線に挟まれた切り取り部分、もしくは切り取った後のカバーの残りの部分を利用して、閲覧後のしおりとして使用することができる構造からなる。【選択図】図２
0003122058.tif 000002
【実用新案登録請求の範囲】
【請求項１】
接続するか、もしくは接続しない表表紙、裏表紙を含んでなる表紙と、
本の内容であって、集めて本の中身を形成する中身と、
好みに応じて選択した２枚の紙を接続して形成し、且つ、適宜な位置に予め２本の切り取り線を形成し、本の中身を全部もしくは一部を被覆するカバーと、を含んでなり、中身を閲覧する場合には、切り取り線に沿って切り開き、切り取り線に挟まれた切り取り部分、もしくは切り取った後のカバーの残りの部分を利用して、閲覧後のしおりとして使用することができる構造からなることを特徴とするブックカバー。
【請求項２】
前記２本の切り取り線に挟まれてなる切り取り部分は、補強材に貼着することを特徴とする請求項１に記載のブックカバー。
【請求項３】
前記カバーは、表裏表紙か、もしくは見返し、もしくは本の中身のどこかのページに接続することを特徴とする請求項１に記載のブックカバー。
【請求項４】
前記カバーは、２枚の異なる紙を予め接続して、中身を挟み込むようにコの字状を呈するように折り曲げて形成することを特徴とする請求項１に記載のブックカバー。
【請求項５】
前記カバーは、製本前に異なる２枚の紙を被覆したい中身を挟み込むように設けて製本後、再度粘着して接続してもよいことを特徴とする請求項１に記載のブックカバー。
【請求項６】
前記カバーに形成した切り取り線は、一端に予め小さな切り取り口を設けてもよいことを特徴とする請求項１に記載のブックカバー。
【請求項７】
前記カバーは、２枚の紙の適宜な位置にそれぞれ予め２本の切り取り線を形成するため、それぞれの切り取り線に挟まれた２枚の切り取り部分が形成してもよいことを特徴とする請求項１に記載のブックカバー。
【請求項８】
前記カバーは、予め切り取り部分の一端が弧状を呈する切り欠け口を形成してもよいことを特徴とする請求項１に記載のブックカバー。
【考案の詳細な説明】
【技術分野】
【０００１】
この考案は、ブックカバーに関し、特に立ち読みなどの防止のために本、雑誌などの書籍類に設けるブックカバーに関する。
【背景技術】
【０００２】
書棚に陳列されて販売されている本、雑誌などの各種書籍類は、いずれも包装などがされていないため、消費者が本をめくったり、立ち読みし易くなっている。このため、ページに折り目がついたり、消費者が全て立ち読みするなどして書籍の販売を妨げている。このため、書店ではフィルムやビニール袋などの中に書籍を入れて消費者の立ち読みなどを防いでいる。また、成人向けの本や雑誌も、未成年が目にすることのないように、予めフィルムやビニールの袋に入れて販売している。
【０００３】
しかしながら、前述の袋などで書籍を包装する方法は、消費者の本の立ち読みなどを防ぐことができるが、購入前に消費者が内容を確認するために閲覧する機会を完全に奪ってしまう。よって、消費者は、事前に本や雑誌の内容を確認して、購入するかどうかを判断することができない。また、従来のフィルムやビニール袋などで予め包装する方法は、フィルムやビニール袋がごみになるため、環境保護に反するだけでなく、包装にかかるコストを増加させる。
【考案の開示】
【考案が解決しようとする課題】
【０００４】
この考案は、開封後にしおりとして使用することができ、書籍の全部、もしくは一部の閲覧を防ぐことができるブックカバーを提供することを課題とする。
【課題を解決するための手段】
【０００５】
そこで、本考案の考案者は従来の技術に見られる欠点に鑑みて鋭意研究を重ねた結果、接続するか、もしくは接続しない表表紙、裏表紙を含んでなる表紙と、本の内容であって、集めて本の中身を形成する中身と、好みに応じて選択した２枚の紙を接続して形成し、且つ、適宜な位置に予め２本の切り取り線を形成し、本の中身を全部もしくは一部を被覆するカバーと、を含んでなり、中身を閲覧する場合には、切り取り線に沿って切り開き、切り取り線に挟まれた切り取り部分、もしくは切り取った後のカバーの残りの部分を利用して、閲覧後のしおりとして使用することができる構造からなる。
【０００６】
以下、この考案について具体的に説明する。
請求項１に記載のブックカバーは、接続するか、もしくは接続しない表表紙、裏表紙を含んでなる表紙と、本の内容であって、集めて本の中身を形成する中身と、好みに応じて選択した２枚の紙を接続して形成し、且つ、適宜な位置に予め２本の切り取り線を形成し、本の中身を全部もしくは一部を被覆するカバーと、を含んでなり、中身を閲覧する場合には、切り取り線に沿って切り開き、切り取り線に挟まれた切り取り部分、もしくは切り取った後のカバーの残りの部分を利用して、閲覧後のしおりとして使用することができる構造からなる。
【０００７】
請求項２に記載のブックカバーは、請求項１における２本の切り取り線に挟まれてなる切り取り部分が、補強材に貼着する。
【０００８】
請求項３に記載のブックカバーは、請求項１におけるカバーが、表裏表紙か、もしくは見返し、もしくは本の中身のどこかのページに接続する。
【０００９】
請求項４に記載のブックカバーは、請求項１におけるカバーは、２枚の異なる紙を予め接続して、中身を挟み込むようにコの字状を呈するように折り曲げて形成する。
【００１０】
請求項５に記載のブックカバーは、請求項１におけるカバーが、製本前に異なる２枚の紙を被覆したい中身を挟み込むように設けて製本後、再度粘着して接続してもよい。
【００１１】
請求項６に記載のブックカバーは、請求項１におけるカバーに形成した切り取り線が、一端に予め小さな切り取り口を設けてもよい。
【００１２】
請求項７に記載のブックカバーは、請求項１におけるカバーが、２枚の紙の適宜な位置にそれぞれ予め２本の切り取り線を形成するため、それぞれの切り取り線に挟まれた２枚の切り取り部分が形成してもよい。
【００１３】
請求項８に記載のブックカバーは、請求項１におけるカバーが、予め切り取り部分の一端が弧状を呈する切り欠け口を形成してもよい。
【考案の効果】
【００１４】
この考案のブックカバーは、開封後に切り取った部分をしおりとして使用することができるため、ごみを出すことがなく環境を保護するとともに、包装のコストを下げる効果を有する。
【００１５】
また、この考案のブックカバーは、書籍全部、もしくは一部を閲覧できないようにすることができるため、消費者は被覆されなかった部分を事前に閲覧して内容を確認することができる効果を有する。
【考案を実施するための最良の形態】
【００１６】
この考案は、開封後にしおりとして使用することができ、書籍の全部、もしくは一部の閲覧を防ぐことができるブックカバーを提供するものであって、接続するか、もしくは接続しない表表紙、裏表紙を含んでなる表紙と、本の内容であって、集めて本の中身を形成する中身と、好みに応じて選択した２枚の紙を接続して形成し、且つ、適宜な位置に予め２本の切り取り線を形成し、本の中身を全部もしくは一部を被覆するカバーと、を含んでなり、中身を閲覧する場合には、切り取り線に沿って切り開き、切り取り線に挟まれた切り取り部分、もしくは切り取った後のカバーの残りの部分を利用して、閲覧後のしおりとして使用することができる構造からなる。
かかるブックカバーの構造と特徴を詳述するために具体的な実施例を挙げ、図示を参照にして以下に説明する。
【実施例】
【００１７】
図１から４にこの考案の実施例を開示する。図面によれば、本や雑誌は、表紙１と、複数枚からなる本の中身２と、ブックカバー３とを含んでなる。
【００１８】
該表紙１は、接続するか、もしくは接続しない表表紙１１、裏表紙１２を含んでなる。該複数枚からなる本の中身２は、本の内容であって、集めて本の中身を形成する。また、カバー３は、好みに応じて選択した２枚の紙３１、３２を接続して形成し、且つカバー３の適宜な位置に予め２本の切り取り線３３１、３３２を形成する。図２、３に開示するように、該カバー３は、本の中身２を全部もしくは一部を被覆する。
【００１９】
前述のカバー３は、本の中身２を被覆して、他人が閲覧することを防ぐ。中身２を閲覧する場合には、図４に開示するように、切り取り線３３１、３３２に沿ってカバー３の一部を切り取り、切り取り部分３３、もしくはカバー３の残った部分（図５に開示するように、紙３１の比較的長く残された部分）を利用して閲覧後にしおりとして利用することができる。よって、本を包装するコストを削減することができるとともに、環境保護に反するようなビニール製の袋などを利用する必要がない。
【００２０】
図１に開示するように、前述の切り取り線３３１、３３２の間に形成される切り取り部分３３は、補強材３４を貼着してもよい。該補強材３４の材質は紙に限らず金属フィルムなどでもよい。よって、切り取り部分３３は、カバー３から切り取った後、補強材３４に貼着させて、強度を高めることができるとともに、材質が特別な補強材３４に貼着する場合には、美観を兼ね備えたしおりとして利用することもできる。
【００２１】
前述のカバー３は、表表紙１１、裏表紙１２、もしくはその見返し（実施例参照）、もしくは本の中身２のどのページにも接続してカバー３を形成することができる。該カバー３は、中身２を全部もしくは一部被覆して、立ち読みなどを防ぐ効果を有する。また、一部しか被覆していない場合には、消費者が被覆されていない部分を購入前に参考として閲覧することができる。
【００２２】
図１から５の実施例に開示するように、この考案のカバー３は、２枚の異なる紙３１、３２を予め接続し、中身２を被覆するために便利なようにコの字状を呈するように折り曲げて形成する。
【００２３】
図６、７に、この考案の他の実施例を開示する。この考案のカバー３は、製本前に異なる２枚の紙３１、３２を被覆したい中身２を挟み込むように設けて製本した後、それぞれの切り取り線３3１、３3２の位置が同じになるように紙３１、３２を粘着して、図７に開示するように中身２を全部もしくは一部被覆する。
【００２４】
図８、９に、この考案のその他の実施例を開示する。図面によれば、カバー３は、適宜な位置に２本、もしくは２本以上の切り取り線３３１、３３２、３３３を形成する。よって、利用者はその内の１本、もしくは２本の切り取り線３３１、３３２、３３３を必要に応じて選択して切り取ることができるとともに、切り取った切り取り部分、もしくはカバー３の残りの部分を本を閲覧した時にしおりとして利用することができる。また、図８、９に開示するように、カバー３は、本の中身２の一部を被覆して、立ち読みなどを防ぐことができるため、被覆されていない部分を消費者に購入前の閲覧として供することができる。
【００２５】
上述のそれぞれの切り取り線３３１、３３２、３３３は、いずれも一端に予め小さな切り取り口３３１ａ、３３２ａ、３３３ａを形成することができるため、利用者が切り取り部分３３をすばやく切り取ることができて便利である。
【００２６】
図１０に、この考案のもう１つの実施例を開示する。カバー３の紙３１、３２にはそれぞれ適宜な位置に２本の切り取り線３３１、３３２、３３１ｂ、３３２ｂを形成し、カバー３上のそれぞれの切り取り線３３１、３３２、３３１ｂ、３３２ｂに挟まれた部分に切り取り部分３３、３３ｂを形成する（切り取り部分３３ｂは、補強材を貼着するか、もしくは貼着しなくてもよく、必要に応じて決めることができる）。よって、利用する場合、どちらか一方の切り取り部分３３（もしくは切り取り部分３３ｂ）を切り取れば、図５に開示するようにカバー３の残された部分が比較的長くなるため、本の中身２を挟んでしおりとして利用するか、もしくは必要がある場合には、切り取り部分３３、３３ｂをいずれも切り取ってもよい。また、図１０に開示するように、カバー３を利用する場合、予め形成された切り取り部分３３、３３ｂは一端に予め弧状の切り欠き口３３４、３３４ｂを形成しているため、利用者がすばやく切り取り部分３３、３３ｂを切り取ることができ、便利である。
【００２７】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００２８】
【図１】この考案のブックカバーのカバーを示した説明図である。
【図２】この考案のブックカバーの実施例を示した説明図である。
【図３】図２に開示するブックカバーを組み合わせた状態を示した説明図である。
【図４】図２に開示するブックカバーの使用状態を示した説明図である。
【図５】図２に開示するブックカバーの使用状態を示した説明図である。
【図６】この考案のブックカバーの他の実施例を示した説明図である。
【図７】図６に開示するブックカバーを接続した状態を示した説明図である。
【図８】この考案のブックカバーのその他の実施例を示した説明図である。
【図９】図８に開示するブックカバーを使用状態を示した説明図である。
【図１０】この考案のブックカバーのもう１つの実施例を示した説明図である。
【符号の説明】
【００２９】
１          表紙
１１        表表紙
１２        裏表紙
２          中身
３          カバー
３１        紙
３２        紙
３３        切り取り部分
３３ｂ      切り取り部分
３３１      切り取り線
３３１ａ    切り取り口
３３１ｂ    切り取り線
３３２      切り取り線
３３２ａ    切り取り口
３３２ｂ    切り取り線
３３３      切り取り線
３３３ａ    切り取り口
３３４      切り欠き口
３３４ｂ    切り欠き口
３４        補強材
【図１】
0003122058.tif 000003
【図２】
0003122058.tif 000004
【図３】
0003122058.tif 000005
【図４】
0003122058.tif 000006
【図５】
0003122058.tif 000007
【図６】
0003122058.tif 000008
【図７】
0003122058.tif 000009
【図８】
0003122058.tif 000010
【図９】
0003122058.tif 000011
【図１０】
0003122058.tif 000012